(57)【特許請求の範囲】
【請求項１】
記録時において、実データをメモリに蓄積し、前側ダミーデータ部、実データ部および後側ダミーデータ部で構成される記録ブロック単位内の実データ量に相当する量のデータがメモリに蓄積される毎に、前側ダミーデータ、メモリに蓄積されたデータからなる実データおよび後側ダミーデータの順番で、１記録ブロック単位のデータを磁気テープに記録し、再生時には磁気テープに記録されたデータを記録ブロック単位毎に間欠的に読み出し、磁気テープから読み出された実データをメモリに蓄積し、メモリに蓄積された実データを読み出して再生出力するデジタルＶＴＲであって、
記録時において、磁気テープのコントロールトラックに、各記録ブロックの前側ダミーデータ部内の所定位置部分であることを示すスタートマークと、各記録ブロックの後側ダミーデータ部内の所定位置部分を示すエンドマークと、所定のＶＡＳＳ情報とを記録させる手段、ならびに
再生時において、スタートマークおよびエンドマークを利用して、各記録ブロック毎に実データの取込みタイミングを制御する手段を備えており、
スタートマークおよびエンドマークのうちの一方は、ＶＨＳ規格によるＶＩＳＳ／ＶＡＳＳ信号のショートの”０”，”１”の組み合わせで構成され、他方はＶＨＳ規格によるＶＩＳＳ／ＶＡＳＳ信号のロングの”０”，”１”の組み合わせで構成されており、
ＶＡＳＳ情報に用いられる”０”と”１”とのうちの一方はＶＨＳ規格によるＶＩＳＳ／ＶＡＳＳ信号のショートが採用され、他方はロングが採用されていることを特徴とするデジタルＶＴＲ。
【請求項２】
ＶＡＳＳ情報が、記録時刻情報である請求項１に記載のデジタルＶＴＲ。
【発明の詳細な説明】
【０００１】
【発明の属する技術分野】
この発明は、入力映像を間欠的に記録するデジタルＶＴＲ等のデジタルＶＴＲに関する。
【０００２】
【従来の技術】
本出願人は、記録時において、実データをメモリに蓄積し、前側ダミーデータ部、実データ部および後側ダミーデータ部で構成される記録ブロック単位内の実データ量に相当する量のデータがメモリに蓄積される毎に、前側ダミーデータ、メモリに蓄積されたデータからなる実データおよび後側ダミーデータの順番で、１記録ブロック単位のデータを磁気テープに記録し、再生時には磁気テープに記録されたデータを記録ブロック単位毎に間欠的に読み出し、磁気テープから読み出された実データをメモリに蓄積し、メモリに蓄積された実データを読み出して再生出力するデジタルＶＴＲであって、記録時において、磁気テープのコントロールトラックに、各記録ブロックの前側ダミーデータ部内の所定位置部分であることを示すスタートマークと、各記録ブロックの後側ダミーデータ部内の所定位置部分を示すエンドマークとを記録させる手段、ならびに再生時において、スタートマークおよびエンドマークを利用して、各記録ブロック毎に実データの取込みタイミングを制御する手段を備えたデジタルＶＴＲを開発した（特願２０００−０５１３０１号、本願出願時点では未公開）。
【０００３】
スタートマークは、ＶＨＳ規格によるＶＩＳＳ／ＶＡＳＳ信号のショートＳの”０”、”１”を使用した”１０１０１０１０”から構成され、エンドマークはＶＨＳ規格によるＶＩＳＳ／ＶＡＳＳ信号のロングＬの”０”、”１”を使用した”１０１０１０１０”から構成されている。そして、ショートＳの”１０１０”を検出するとスタートマークと判定し、ロングＬの”１０１０”を検出するとエンドマークと判定している。
【０００４】
ところで、コントロールトラックを利用してタイムデートサーチ（Ｔ／Ｄサーチ）を行いたい場合には、コントロールトラックに記録時刻データをＶＡＳＳデータとして記録する必要がある。ＶＡＳＳデータ内には”１０１０”の組み合わせが存在する可能性があるため、ＶＡＳＳデータの”０”，”１”としてショートＳの”０”、”１”を使用すると、ＶＡＳＳデータ中の”１０１０”がスタートマークと誤検知される可能性がある。また、ＶＡＳＳデータの”０”，”１”としてロングＬの”０”、”１”を使用すると、ＶＡＳＳデータ中の”１０１０”がエンドマークと誤検知される可能性がある。
【０００５】
たとえば、再生時において、ＶＡＳＳデータ付近からテープ走行が開始され、本来のスタートマークが検出される前に、ＶＡＳＳデータを誤ってスタートマークと検知した場合には、メモリへの書き込みが記録ブロックの途中から開始されるという問題がある。また、テープが走行を開始した後、０．５秒以内は、テープ走行が安定しないため、スタートマークの誤検知によって、テープ走行開始後から０．５秒以内の部分のデータを取り込むと、画像乱れが発生してしまう。
【０００６】
【発明が解決しようとする課題】
この発明は、ＶＡＳＳデータの一部がスタートマークまたはエンドマークと誤検知されるといったことを回避できるデジタルＶＴＲを提供することを目的とする。
【０００７】
【課題を解決するための手段】
この発明によるデジタルＶＴＲは、記録時において、実データをメモリに蓄積し、前側ダミーデータ部、実データ部および後側ダミーデータ部で構成される記録ブロック単位内の実データ量に相当する量のデータがメモリに蓄積される毎に、前側ダミーデータ、メモリに蓄積されたデータからなる実データおよび後側ダミーデータの順番で、１記録ブロック単位のデータを磁気テープに記録し、再生時には磁気テープに記録されたデータを記録ブロック単位毎に間欠的に読み出し、磁気テープから読み出された実データをメモリに蓄積し、メモリに蓄積された実データを読み出して再生出力するデジタルＶＴＲであって、記録時において、磁気テープのコントロールトラックに、各記録ブロックの前側ダミーデータ部内の所定位置部分であることを示すスタートマークと、各記録ブロックの後側ダミーデータ部内の所定位置部分を示すエンドマークと、所定のＶＡＳＳ情報とを記録させる手段、ならびに再生時において、スタートマークおよびエンドマークを利用して、各記録ブロック毎に実データの取込みタイミングを制御する手段を備えており、スタートマークおよびエンドマークのうちの一方は、ＶＨＳ規格によるＶＩＳＳ／ＶＡＳＳ信号のショートの”０”，”１”の組み合わせで構成され、他方はＶＨＳ規格によるＶＩＳＳ／ＶＡＳＳ信号のロングの”０”，”１”の組み合わせで構成されており、ＶＡＳＳ情報に用いられる”０”と”１”とのうちの一方はＶＨＳ規格によるＶＩＳＳ／ＶＡＳＳ信号のショートが採用され、他方はロングが採用されていることを特徴とする。
【０００８】
【発明の実施の形態】
以下、図面を参照して、この発明を監視システムに用いられるデジタルＶＴＲに適用した場合の実施の形態について説明する。
【０００９】
〔１〕デシタルＶＴＲの構成の説明
【００１０】
図１は、デシタルＶＴＲの構成を示している。
【００１１】
デジタルＶＴＲは、ビデオ処理部１、オーディオ処理部２、メモリ３、フォーマッタ４、サブ制御部５、電磁変換部６、メイン制御部７等を備えている。
【００１２】
メイン制御部７は、マイクロコンピュータで構成され、システムコントローラの機能とサーボブロックの機能とを備えている。メイン制御部７は、キャプスタン用周波数発生器（ＣＦＧ）１０１の出力、ＣＴＬ信号等に基づいてキャプスタンモータ１００を制御するとともに、ドラム用位相発生器（ＤＰＧ）２０１の出力、ドラム用周波数発生器（ＤＦＧ）２０２の出力等に基づいてドラムモータ２００を制御する。
【００１３】
メイン制御部７内のＣＴＬ録再回路７ａは、記録時には、ＣＴＬヘッド３０１を用いて磁気テープ３００のコントロールトラックにＣＴＬ信号を記録し、再生時には、ＣＴＬヘッド３０１を用いて磁気テープ３００のコントロールトラックからＣＴＬ信号を読み取る。
【００１４】
ビデオ処理部１は、デコーダ１１、エンコーダ１２、ＪＰＥＧ規格の圧縮／伸長器１３および圧縮／伸長処理用のメモリ１４から構成される。メモリ１４は、１フィールド分の容量をそれぞれ有しかつ入力データが交互に書き込まれる領域Ｉ、ＩＩおよびＪＰＥＧ圧縮後のデータを格納する領域ＩＩＩに分割されている。
【００１５】
オーディオ処理部２はフィルタ２１、Ａ／Ｄ変換器２２、Ｄ／Ａ変換器２３、ＰＣＭエンコーダ／デコーダ２４およびＦＩＦＯメモリ２５から構成される。サブ制御部５はＣＰＵ５１およびＦＰＧＡ５２から構成される。ビデオ処理部１、オーディオ処理部２、メモリ３、フォーマッタ４およびサブ制御部５は、データバスライン８を介して互いに接続されている。サブ制御部５はメイン制御部７と接続されている。
【００１６】
〔２〕記録動作についての説明
【００１７】
ＶＴＲの記録動作について説明する。この実施の形態では、磁気テープへの記録フォーマットをＤ−ＶＨＳ、１記録ブロックを３６６トラック、メモリ３の容量を６４Ｍビット（８Ｍバイト）とする。
【００１８】
記録時にはメイン制御部７は、キャプスタンモータ１００及びドラムモータ２００を一定速度で回転させるように制御する。また、ＣＴＬ録再回路７ａによって磁気テープ３００のコントロールトラックにＣＴＬ信号を記録する。
【００１９】
図示しない監視カメラ（ビデオカメラ）からのＮＴＳＣ方式のコンポジットビデオ信号、または輝度／色信号に分離されたＹ／Ｃコンポーネント信号は、デコーダ１１に入力される。デコーダ１１は、入力されたビデオ信号をＹＵＶ変換し、得られたＹＵＶ信号をＡ／Ｄ変換する。
【００２０】
デコーダ１１によって得られたＹＵＶデジタルデータは、ＪＰＥＧ規格で入出力データを圧縮伸長する圧縮／伸長器１３に送られる。圧縮／伸長器１３はＣＰＵ５１からデータバスライン８を経由して送られてくる録画間隔情報により、指示されたフィールド毎のＹＵＶデジタルデータをメモリ１４の領域Ｉ、ＩＩに交互に取り込む。メモリ１４に取り込まれたＹＵＶデジタルデータは、圧縮／伸長器１３によって圧縮される。圧縮後の圧縮ビデオデータはメモリ１４の領域ＩＩＩに書き込まれる。
【００２１】
メモリ１４の領域ＩＩＩに書き込まれた１フィールド分の圧縮ビデオデータは、ＣＰＵ５１からデータバスライン８を経由して送られてくる制御命令に基づき、圧縮／伸長器１３によってメモリ１４の領域ＩＩＩから読み出され、データバスライン８を経由して、メモリ３に書き込まれる。この際、ＦＰＧＡ５２によってＱテーブルデータ、映像データ領域を識別するための領域識別コードが圧縮ビデオデータに付加されてメモリ３に書き込まれる。
【００２２】
一方、ビデオカメラ（図示略）からのオーディオ信号はオーディオ処理部２内のフィルタ２１に連続して入力される。フィルタ２１は、オーディオ信号の高域ノイズ成分を除去し、帯域制限されたオーディオ信号をＡ／Ｄ変換器２２に出力する。Ａ／Ｄ変換器２２は、帯域制限されたオーディオ信号をＡ／Ｄ変換する。Ａ／Ｄ変換器２２によって得られたデジタルオーディオ信号は、ＰＣＭエンコーダ／デコーダ２４に連続して送られる。
【００２３】
ＰＣＭエンコーダ／デコーダ２４は、送られてきたデジタルオーディオ信号を、ＰＣＭ方式により圧縮する。圧縮後の圧縮オーディオデータは、ＦＩＦＯメモリ２５に書き込まれる。ＦＩＦＯメモリ２５は、上記録画間隔毎に書き込まれた圧縮オーディオデータを読み出し、データバスライン８を経由してメモリ３に書き込む。この際、ＦＰＧＡ５２によってオーディオデータ領域を識別するための領域識別コードが圧縮オーディオデータに付加されてメモリ３に書き込まれる。また、ＣＰＵ５１から記録日時、録画間隔等の付加情報もメモリ３へ蓄えられる。
【００２４】
メモリ３に所定の記録ブロック単位に応じたデータ（実データ）が蓄積される毎に、その実データ（圧縮ビデオデータ、圧縮オーディオデータ、付加情報）が読み出され、データバスライン８を経由して、フォーマッタ４に送られる。この例では、１記録ブロックは３６６トラック分のデータからなり、後述するように、そのうち２８８トラック分のデータが実データであるので、２８８トラック分のデータがメモリ３に蓄積される毎に、そのデータが読み出されてフォーマッタ４に送られる。
【００２５】
フォーマッタ４によりフォーマット変換されたデータは電磁変換部６に送られ、電磁変換部６内の記録アンプおよびビデオヘッドを介して磁気テープ３００に記録される。１記録ブロック単位のデータの記録が終了する毎に、磁気テープは停止せしめられる。
【００２６】
図２は、磁気テープに記録される１フィールド分のデータに対するフォーマットを示している。
【００２７】
１フィールド分のデータブロックは、ヘッダ部８１、オーディオデータ部８２および映像データ部８３からなる。
【００２８】
ヘッダ部８１には、記録時刻情報、アラーム情報、カメラ番号等の付加情報、量子化テーブル（Ｑテーブル）、音声付加データ等が含まれている。ヘッダ部８１の先頭には、ヘッダ部８１の先頭であることを示すフレームヘッダＡが挿入されている。オーディオデータ部８２の先頭にはオーディオデータ領域であることを識別するための領域識別コードＢが挿入されている。映像データ部８３の先頭には映像データ領域であることを識別するための領域識別コードＣが挿入されている。映像データ部８３の最後には、映像データ部の最後であることを示すエンドコードＤが挿入されている。
【００２９】
図３は、磁気テープに記録される１記録ブロックの構成およびＣＴＬマーキングの構成を示している。
【００３０】
１記録ブロックは、図３（ａ）に示すように、３６６トラック分（１６８ＣＴＬ分）のデータからなり、複数フィールド数分のデータを含んでいる。１記録ブロックは、３２トラック分（１６ＣＴＬ分）の前側ダミーデータ部、それに続く２８８トラック分（１４４ＣＴＬ分）の実データ部および１６トラック分（８ＣＴＬ分）の後側ダミーデータ部とからなる。
【００３１】
また、１記録ブロックに対応するＣＴＬマーキングは、図３（ｂ）に示すように、”０”を示す先頭の８ＣＴＬ、それに続くスタートマークを表す８ＣＴＬ、それに続く”０”を示す１７ＣＴＬ、それに続くＶＡＳＳデータを表す１１０ＣＴＬ、それに続く”０”を示す１７ＣＴＬおよびそれに続くエンドマークを表す８ＣＴＬからなる。
【００３２】
スタートマークは、この例では、ＶＨＳ規格によるＶＩＳＳ／ＶＡＳＳ信号のショートＳの”０”、”１”を使用した”１０１０１０１０”から構成される。エンドマークは、この例では、ＶＨＳ規格によるＶＩＳＳ／ＶＡＳＳ信号のロングＬの”０”、”１”を使用した”１０１０１０１０”から構成される。
【００３３】
スタートマークをロングＬの”０”、”１”を使用した”１０１０１０１０”で構成し、エンドマークをショートＳの”０”、”１”を使用した”１０１０１０１０”で構成してもよい。
【００３４】
ＶＨＳ規格ではショートＳの”０”のＮ極書き込み時間とＳ極書き込み時間との比は５７．５：４２．５と定義され、ショートＳの”１”のＮ極書き込み時間とＳ極書き込み時間との比は２５：７５と定義されている。また、ロングＬの”０”のＮ極書き込み時間とＳ極書き込み時間との比は６２．５：３７．５と定義され、ロングＬの”１”のＮ極書き込み時間とＳ極書き込み時間との比は３０：７０と定義されている。
【００３５】
タイムデータサーチ（Ｔ／Ｄサーチ）を行なうための記録日時分を表すデータがＶＡＳＳデータとして記録される。ところで、ＶＡＳＳデータの一部が、”１０１０”となる可能性がある。ＶＡＳＳデータの一部が、”１０１０”となった場合でも、スタートマークまたはエンドマークの”１０１０”と区別する必要がある。
【００３６】
そこで、ＶＡＳＳデータの”１”および”０”のうちの一方としてショートＳを用い、他方としてロングＬを用いる。この例では、ＶＡＳＳデータの”１”としてショートＳの”１”を用い、ＶＡＳＳデータの”０”としてロングＬの”０”を用いる。なお、ＶＡＳＳデータの”１”としてロングＬの”１”を用い、ＶＡＳＳデータの”０”としてショートＳの”０”を用いてもよい。
【００３７】
スタートマーク、エンドマーク、ＶＡＳＳデータ以外の”０”としては、ＶＨＳ規格で定義されているショートＳまたはロングＬの”０”が用いられている。この例では、ショートＳの”０”が用いられている。
【００３８】
なお、ＣＴＬ信号のスタートマークを、１記録ブロックの先頭に相当する位置に記録せずに、”０”のＣＴＬが８個出力された後に記録させるようにしているのは、次のような理由による。つまり、このＶＴＲでは、再生時において、磁気テープは１記録ブロック分の再生が行なわれる毎に磁気テープ３００の走行が停止せしめられる。このため、再生時において１記録ブロックの最初の部分はエンベロープが安定しないので、その不安定な位置にスタートマークを記録すると、スタートマークの検出ミスが発生するおそれがある。そこで、１記録ブロックの先頭に相当する位置よりも後位置にスタートマークを記録しているのである。
【００３９】
図４は、ＶＡＳＳデータの一例を示している。
ＶＡＳＳデータは、ヘッダー部、日データ、時刻データ、ヘッダー部、分データ、日データ、ヘッダー部、時刻データ、分データおよびヘッダー部とからなる。つまり、ＶＡＳＳデータには、日データ、時刻データおよび分データがそれぞれ２回ずつ含まれている。各ヘッダー部は、１１ビットで構成され、先頭の”０”と、末尾の”０”と、それらの間の９個の”１”とからなる。
【００４０】
図５は、記録動作開始後に、メモリ３内に１記録ブロック内の実データ総量に相当するデータが書き込まれたときの各部の信号を示している。
【００４１】
図５において信号MEMORY FULL は、メモリ３に１記録ブロック内の実データ総量に相当するデータが書き込まれたときにＨレベルとされ、その所定容量分のデータが読み出されたときにＬレベルにされる信号を示している。この信号MEMORY FULL は、サブ制御部５によって生成されて、メイン制御部７に送られる。この信号MEMORY FULL は、記録時には１記録ブロックの記録開始トリガ信号となり、再生時には１記録ブロックの再生開始トリガ信号となる。
【００４２】
信号SW TR は、フォーマッタ４より作成される位相サーボ用基準信号を示しておる。この信号SW TR は、フォーマッタ４からメイン制御部７に送られる。
【００４３】
信号MC ON は、キャプスタンモータ１００の駆動指令信号を示しており、メイン制御部７によって生成される。
【００４４】
信号CTL は、記録時には磁気テープ３００に記録されるＣＴＬ信号を示し、再生時には磁気テープ３００から読み出されるＣＴＬ信号を示している。
【００４５】
信号FORMATTER は、メイン制御部７からフォーマッタ４に送られるコントロール信号およびフォーマッタ４の状態を示す信号を示している。
【００４６】
信号VD RECは、フォーマッタ４から電磁変換部６内のビデオヘッドに送られる記録指示信号を示している。
【００４７】
信号FORMATTER USE は、記録時にはメモリ３内の実データをフォーマッタ４に送るための送信指令信号を示し、再生時にはフォーマッタ４からメモリ３に実データを送るための送信指令信号を示している。この信号FORMATTER USE は、メイン制御部７によって生成され、サブ制御部５に送られる。
【００４８】
信号RD DATA は、フォーマッタ４から電磁変換部６に送られる記録データを示している。
【００４９】
記録動作開始後に、メモリ３内に１記録ブロック内の実データ総量に相当するデータが書き込まれると、サブ制御部５からメイン制御部７に送られるMEMORY FULL がＨレベルとなる。
【００５０】
MEMORY FULL がＨレベルとなると（時点ｔ１）、この後のSW TR の立ち下がりタイミングで（時点ｔ２）、メイン制御部７は、信号MC ON をＨレベルにさせて、キャプスタンモータ１００を駆動させる。また、メイン制御部７は、サブ制御部５を介してフォーマッタ４に記録開始指令(REC指令) を送信する。
【００５１】
フォーマッタ４は、記録開始指令を受信すると、記録動作モードとなり、RD DATA で示すようにダミーデータを出力するとともに、VD RECをＨレベルにさせるので、電磁変換部６内のビデオヘッドによってダミーデータの磁気テープ３００への記録が開始せしめられる。また、ＣＴＬ録再回路７ａによるＣＴＬ信号の磁気テープ３００への記録が開始される。
【００５２】
この後、メイン制御部７は、所定のタイミング（ｔ３）で、サブ制御部５に送られているFORMATTER USE をＨレベルにさせる。FORMATTER USE がＨレベルとなると、メモリ３からフォーマッタ４への実データの送信が開始される。Ｄ−ＶＨＳ規格のフォーマッタ４ではＤ−ＶＨＳのフォーマットにおいて６トラックシーケンスを守る必要があるためフォーマッタ４の内部にメモリを持っており、フォーマッタ４に送られたデータは一旦メモリに格納された後、RD DATA で示すように遅延されて出力される。したがって、実データは、時点ｔ３より所定時間遅れた時点ｔ４から、磁気テープ３００に記録され始める。
【００５３】
ＣＴＬ信号のスタートマーク”１０１０１０１０”は、上述したように、再生時にエンベロープが安定する位置、すなわち、”０”のＣＴＬが８つ出力された後に出力されて、磁気テープ３００に記録される。また、スタートマーク”１０１０１０１０”が記録されると、”０”のＣＴＬ信号が１７回記録され、その後、ＶＡＳＳデータが記録される。
【００５４】
図６は、メモリ３から１記録ブロック内の実データ総量に相当するデータが全て読み出されたときの各部の信号を示している。
【００５５】
メモリ３から１記録ブロック内の実データ総量に相当するデータが全て読み出されると、サブ制御部５からメイン制御部７に送られるMEMORY FULL がＬレベルとなる。
【００５６】
MEMORY FULL がＬレベルとなると（時点ｔ５）、メイン制御部７は、サブ制御部５に送られているFORMATTER USE をＬレベルにする。FORMATTER USE がＬレベルとなると、メモリ３からフォーマッタ４への実データの送信が停止せしめられる。ただし、上述したように、フォーマッタ４に送られたデータは遅延されて出力されるため、RD DATA に示すように、MEMORY FULL がＬレベルとなった時点ｔ５の後においてもフォーマッタ４から電磁変換部６に実データが送られる。
【００５７】
実データの磁気テープ３００への記録が終了すると（時点ｔ６）、フォーマッタ４は所定量のダミーデータを電磁変換部６に送る。実データの磁気テープ３００への記録が終了し（時点ｔ６）、ダミーデータの記録が開始される時点から、ＣＴＬ信号のエンドマークの記録が開始される。
【００５８】
メイン制御部７は、MEMORY FULL がＬレベルとなった時点ｔ５の後、所定のタイミングで（時点ｔ７）、サブ制御部５を介して、フォーマッタ４に記録停止指令(STOP 指令) を送る。フォーマッタ４は、記録停止指令を受信すると、停止状態となるとともに、VD RECをＬレベルにさせるので、電磁変換部６内のビデオヘッドによる磁気テープ３００への記録が停止せしめられる。
【００５９】
また、メイン制御部７は、フォーマッタ４が記録動作を停止するタイミング（時点ｔ８）で、MC ON をＬレベルにさせ、キャプスタンモータ１００を停止させる。また、メイン制御部７は、ＣＴＬ録再回路７ａによるＣＴＬ信号の磁気テープ３００への記録を停止させる。
【００６０】
図７は、ＣＴＬ録再生回路によるＣＴＬ記録処理手順を示している。
【００６１】
まず、ＶＡＳＳデータの記録か（ステップ１）、スタートマークの記録か（ステップ２）、エンドマークの記録か（ステップ３）が判定される。
【００６２】
ＶＡＳＳデータの記録である場合には（ステップ１でＹＥＳ）、”１”の記録か否かが判別され（ステップ４）、”１”の記録であれば、ショートの”１”が記録される（ステップ５）。”１”の記録でなければ、すなわち”０”の記録であれば、ロングの”０”が記録される（ステップ６）。
【００６３】
スタートマークの記録である場合には（ステップ２でＹＥＳ）、”１”の記録か否かが判別され（ステップ７）、”１”の記録であれば、ショートの”１”が記録される（ステップ８）。”１”の記録でなければ、すなわち”０”の記録であれば、ショートの”０”が記録される（ステップ９）。
【００６４】
エンドマークの記録である場合には（ステップ３でＹＥＳ）、”１”の記録か否かが判別され（ステップ１０）、”１”の記録であれば、ロングの”１”が記録される（ステップ１１）。”１”の記録でなければ、すなわち”０”の記録であれば、ロングの”０”が記録される（ステップ９）。
【００６５】
エンドマークの記録でない場合には（ステップ３でＮＯ）、ＶＡＳＳデータ、スタートマークおよびエンドマーク以外の”０”の記録であると判定され、ショートの”０”が記録される（ステップ１３）。
【００６６】
〔３〕再生動作についての説明
【００６７】
再生時には、電磁変換部６内のビデオヘッドによって磁気テープから１記録ブロック単位毎にデータが読み出される。読み取られたデータは、電磁変換部６内の再生アンプを介してフォーマッタ４に送られる。フォーマッタ４は、送られてきたデータに対して記録時とは逆の変換を行う。フォーマッタ４によって得られた実データ（付加情報、圧縮ビデオデータおよび圧縮オーディオデータ）は、バスライン８を通じて、メモリ３に書き込まれる。
【００６８】
メモリ３に１記録ブロック内の実データの全てが書き込まれると、ＣＰＵ５１からの読み出し命令により、ＦＰＧＡ５２によってメモリ３からデータが読み出される。メモリ３から読み出されたＱテーブルデータは圧縮／伸長器１３に、圧縮ビデオデータは圧縮／伸長器１３経由でメモリ１４の領域ＩＩＩに送られる。また、メモリ３から読み出された圧縮オーディオデータはＦＩＦＯメモリ２５に送られる。
【００６９】
メモリ１４の領域ＩＩＩに送られた圧縮ビデオデータはＱテーブルデータに基づいて、圧縮／伸長器１３で伸長される。圧縮／伸長器１３による伸長処理後に得られた１フィールド単位のＹＵＶデジタルデータは、メモリ１４の領域Ｉ、ＩＩに交互に書き込まれる。
【００７０】
メモリ１４の領域Ｉ、ＩＩに書き込まれたＹＵＶデジタルデータは、圧縮／伸長器１３によって読み出されて、エンコーダ１２に送られる。エンコーダ１２は、ＹＵＶデジタルデータをＤ／Ａ変換した後、エンコードし、これによって得られたコンポジットビデオ信号およびＹ／Ｃコンポーネント信号を出力する。
【００７１】
一方、ＦＩＦＯメモリ２５に書き込まれた圧縮オーディオデータは、ＰＣＭエンコーダ／デコーダ２４によってデコードされ、Ｄ／Ａ変換器２３に送られる。Ｄ／Ａ変換器２３は、デジタルオーディオデータをＤ／Ａ変換し、得られたアナログオーディオ信号をフィルタ２１に出力する。フィルタ２１は、送られてきたアナログオーディオ信号から、Ｄ／Ａ変換器２３によるＤ／Ａ変換時に発生した高域のノイズ成分を除去して、得られたアナログオーディオ信号を出力する。
【００７２】
再生開始直後においては、メイン制御部７は、信号MC ON をＨレベルとして、キャプスタンモータ１００を駆動させる。これにより、磁気テープ３００から読み出されたデータがメモリ３に書き込まれていく。そして、磁気テープ３００からエンドマークが検出されるとメイン制御部７は、信号MC ON をＬレベルとして、キャプスタンモータ１００を停止させる。
【００７３】
キャプスタンモータ１００が駆動せしめられた後において、メモリ３にある程度のデータが蓄積されると、メモリ３からデータが順次読み出される。メモリ３から読み出されたＱテーブルデータおよび圧縮ビデオデータは、ビデオ処理部１に送られ、上述したような処理が行なわれて出力される。また、メモリ３から読み出された圧縮オーディオデータは、オーディオ処理部２に送られ、上述したような処理が行なわれて出力される。
【００７４】
図８は、再生時において、メモリ３に書き込まれた１記録ブロック内の実データ総量に相当するデータの全てが、メモリ３から読み出されたときの各部の信号を示している。
【００７５】
図８において、信号ENV は、再生時に磁気テープ３００から読み出されたデータを示している。また、信号PB Hは、内部のビデオ回路が再生画をメモリ３に取り込める状態となっていることを示す信号である。
【００７６】
メモリ３に書き込まれた１記録ブロック内の実データ総量に相当するデータの全てが、メモリ３から読み出されると、信号MEMORY FULL がＬレベルとなる。信号MEMORY FULL がＬレベルとなると（時点ｔ１１）、この後のSW TR の立ち下がりタイミングで（時点ｔ１２）、メイン制御部７は、信号MC ON をＨレベルにして、キャプスタンモータ１００を駆動させる。この後、ＣＴＬ録再回路７ａによるＣＴＬ信号の再生が開始される。
【００７７】
この後に、メイン制御部７は、ＣＴＬ信号からなるスタートマーク”１０１０１０１０”の”１０”を２度検出すると（時点１３）、サブ制御部５を介してフォーマッタ４に再生開始指令( PB指令) を送るとともに、信号PB HをＨレベルにする。また、メイン制御部７は、サブ制御部５に送られているFORMATTER USE をＨレベルにさせる。
【００７８】
フォーマッタ４は、再生開始指令を受信すると、再生動作モードとなる。FORMATTER USE がＨレベルとなると、フォーマッタ４からメモリ３への実データの送信が開始される。メモリ３にある程度のデータが書き込まれると、メモリ３からデータが順次読み出される。
【００７９】
図９は、再生時において、メモリ３に１記録ブロック内の実データが書き込まれている途中において、ＣＴＬ信号からなるエンドマークが検出されたときの各部の信号を示している。
【００８０】
メモリ３に１記録ブロック内の実データが書き込まれている途中において、メイン制御部７がＣＴＬ信号からなるエンドマーク”１０１０１０１０”における”１０”を２度検出すると（時点ｔ１４）、メイン制御部７は、信号MC ON をＬレベルにして、キャプスタンモータ１００を停止させる。このため、記録ブロックの後側ダミーデータ部の途中で磁気テープ３００が停止せしめられる。
【００８１】
また、メイン制御部７は、エンドマーク”１０１０１０１０”における”１０”を２度検出した時点ｔ１４から後の所定のタイミングで（時点ｔ１５）、サブ制御部５を介してフォーマッタ４に再生停止指令(STOP 指令) を送るとともに、信号PB HをＬレベルにする。また、メイン制御部７は、サブ制御部５に送られているFORMATTER USE をＬレベルにさせる。
【００８２】
フォーマッタ４は、再生停止指令を受信すると、停止モードとなる。FORMATTER USE がＬレベルとなると、フォーマッタ４からメモリ３への実データの送信が停止せしめられる。
【００８３】
上記実施の形態によれば、記録ブロック単位毎にデータを記録するデジタルＶＴＲにおいて、記録時に、サーボ及びメカ系の安定する記録ブロックの開始点および記録ブロックの終了点とを、コントロールトラックにスタートマークおよびエンドマークとして記録しているため、記録ブロックの安定した記録再生が可能となる。またエンベロープが安定してからフォーマッタを動作させているので、フォーマッタの誤動作も防ぐことが可能となる。
【００８４】
また、記録日時分のデータが、コントロールトラックにＶＡＳＳデータとして記録されているので、コントロールトラックを利用してタイムデートサーチ（Ｔ／Ｄサーチ）を行うことができるようになる。この際、ＶＡＳＳデータの一部がスタートマークまたはエンドマークと誤検知されるといったことを回避できるようになる。
【００８５】
【発明の効果】
この発明によれば、ＶＡＳＳデータの一部がスタートマークまたはエンドマークと誤検知されるといったことを回避できるようになる。
【図面の簡単な説明】
【図１】デシタルＶＴＲの構成を示すブロック図である。
【図２】磁気テープに記録される１フィールド分のデータに対するフォーマットを示す模式図である。
【図３】磁気テープに記録される１記録ブロックの構成および磁気テープのコントロールトラックに記録されるＣＴＬマーキングの構成を示す模式図である。
【図４】ＶＡＳＳデータの一例を示す模式図である。
【図５】記録動作開始後に、メモリ３内に１記録ブロック内の実データ総量に相当するデータが書き込まれたときの各部の信号を示すタイミングチャートである。
【図６】記録時おいて、メモリ３から１記録ブロック内の実データ総量に相当するデータが全て読み出されたときの各部の信号を示すタイミングチャートである。
【図７】ＣＴＬ録再生回路によるＣＴＬ記録処理手順を示すフローチャートである。
【図８】再生時において、メモリ３に書き込まれた１記録ブロック内の実データ総量に相当するデータの全てが、メモリ３から読み出されたときの各部の信号を示すタイミングチャートである。
【図９】再生時において、メモリ３に１記録ブロック内の実データが書き込まれている途中において、ＣＴＬ信号からなるエンドマークが検出されたときの各部の信号を示すタイミングチャートである。
【符号の説明】
１  ビデオ処理部
２  オーディオ処理部
３  メモリ
４  フォーマッタ
５  サブ制御部
６  電磁変換部
７  メイン制御部
７ａ  ＣＴＬ録再回路
【図１】
0003702155.tif 000002
【図２】
0003702155.tif 000003
【図３】
0003702155.tif 000004
【図４】
0003702155.tif 000005
【図５】
0003702155.tif 000006
【図６】
0003702155.tif 000007
【図７】
0003702155.tif 000008
【図８】
0003702155.tif 000009
【図９】
0003702155.tif 000010